(57)【要約】【課題】  ロータの面長を短くでき、駆動モータを直結させて駆動することでき、加減速時の負荷の変動に確実に対応できると共に、安定して確実な動作を行わせて巻取紙の平判状シートへの断裁加工作業を効率よく行える紙のカッター装置を提供する。【解決手段】  スリッターナイフ34で巻取紙21を５本のシート列Ｌ1 、Ｌ2 、Ｌ3 、Ｌ4 、Ｌ5 に分割し、外側の２つを第１ナイフ41と第３ナイフ43とに、内側に位置した残りを第１フィードローラ35から第２ナイフ42に、それぞれ案内する。第１〜第３ナイフ41、42、43でシート列Ｌをそれぞれ流れ方向の所定位置で断裁すると平判状シート紙Ｐが形成される。これら第１〜第３ナイフ41、42、43のロータ41a 、41b 、42a 、42b 、43a 、43b の面長は巻取紙21の全幅よりも小さくてよく、該ロータの慣性モーメントを小さくでき、駆動モータの負荷を大きくすることがない。【選択図】        図１
2005246514.tif 000002
【特許請求の範囲】
【請求項１】
複数本の巻取紙を巻き戻しながら複数枚重ね合わせて給送し、スリッターナイフにより幅方向の所望位置で切断して複数の小幅のシート列に形成し、該シート列の流れ方向の所望位置で断裁して平判状シートに形成するカッター装置において、
前記スリッターナイフによって切断された紙の前記シート列を、前記流れ方向の所望位置で断裁するカッターに給送するためのフィードロールを通過した後に、二方向の流れに分岐させ、
一方の方向の流れの途中に、１台のカッターを配設し、
他方の方向の流れの途中に、２台のカッターを配設したことを特徴とする紙のカッター装置。
【請求項２】
前記２台のカッターのロータの軸方向を一致させてあることを特徴とする請求項１に記載の紙のカッター装置。
【請求項３】
前記１台のカッターと２台のカッターのそれぞれのロータは、駆動モータに直結されて駆動されることを特徴とする請求項１または請求項２に記載の紙のカッター装置。
【請求項４】
前記複数のシート列のうち、外側に位置したそれぞれのシート列を前記２台のカッターのそれぞれに対応させ、内側に位置したシート列を前記１台のカッターに対応させたことを特徴とする請求項１ないし請求項３のいずれかに記載の紙のカッター装置。
【発明の詳細な説明】
【技術分野】
【０００１】
この発明は、抄紙されて巻き取られた巻取紙を巻き戻しながら、スリッター等によって所望の幅員に切断した後に、この切断処理に続けて、所望の長さとなるように流れ方向の位置で断裁するためのカッターに関し、この断裁寸法が切断された幅員に対応する部分毎に異ならせることができるようにしたカッターに関する。
【背景技術】
【０００２】
抄紙機で完成された紙はリールパートでロールに巻き取られた状態で製品化され、さらに用途に応じて加工される。例えば輪転印刷機には、巻取紙の状態で提供されるが、リールパートで巻き取られた状態のままでは印刷機に供するには幅員が大きすぎるため、ワインダーに供して巻き戻しながらスリッターナイフ等で適宜な幅員に切断して再び巻き取られて巻取紙とされて出荷される。また、大判紙等の場合には、所定の縦横寸法に断裁した平判状シートにして出荷されることになる。平判状シートを形成するには、前記巻取紙を所定の縦横寸法となるように加工する必要がある。このため、該巻取紙を巻き戻しながらスリッターナイフによって幅方向の所望位置で切断し、さらにカッターによって流れ方向の所望位置で断裁して、縦横寸法を所定のものにする。このカッターにはプッシュカッターやフルシンクロカッター、セミシンクロカッターなどがあり、これらは回転するロータの外周面にその回転軸の方向を長手方向としたナイフが取り付けられたターニングナイフを備えている。例えば、プッシュカッターの場合には、回転するトップロータとボトムロータとを備えて、これらのロータの間に通紙し、トップロータに取り付けられたターニングナイフがボトムロータに対向した際に紙を断裁する。
【０００３】
従来のこの種のカッター装置では、シングルカッターとダブルカッターとがある。シングルカッターは前記ターニングナイフがシート列の流れ方向の一箇所に設けられて流れ方向の断裁寸法が一種類に限られ、ダブルカッターでは二箇所に設けられて二種類の寸法で断裁できるものである。
【０００４】
例えば、特許文献１にはダブルカッター方式の構造が開示されていて、図４にこの種のダブルカッターを備えたカッター装置１の概略構造を示してある。図示しないアンリールスタンドに支持された複数の巻取紙から紙Ｐが巻き戻されて重畳されて、リードインロール２に給送される。リードインロール２の下流にはテールスリッター３が配されており、重畳された紙Ｐの幅方向の両端部を必要に応じて切断して幅員の一定の大きさに揃える。このテールスリッター３の下流には、紙Ｐを給送する一対のペーパーロール４が配されており、このペーパーロール４のうちの紙Ｐの上側に位置するものをエキスパンダーロール4aとしてあり、紙Ｐのせり傷の発生や破れを防止している。ペーパーロール４の下流には複数のスリッターナイフ５が配されており、紙Ｐの幅方向の所定位置で紙Ｐを切断することができ、紙Ｐはシート列Ｌとされて給送される。なお、このスリッターナイフ５は紙Ｐの幅方向の任意の位置に設定できるようにしてあり、この設定位置を調整することにより紙Ｐの切断幅を変更できるようにしてある。スリッターナイフ５の下流には、紙Ｐを挟持するように一対の第１フィードロール６が配されている。
【０００５】
前記第１フィードロール６を通過した紙Ｐは、二方向へ分岐されて給送されるようにしてある。このとき、図４に示すカッター装置１では、６組の前記スリッターナイフ５を用いて、いわゆる５丁取りとしてある。６組のスリッターナイフ５のうちの両側のものは、前記テールスリッター３と同様に、紙Ｐの幅方向の両端部を切断する。なお、この両端部のテールスリッター５では、両端部を十分に切断できない場合には、前記テールスリッター３で、該テールスリッター５で切断可能な位置まで予め両端部を切断するようにしてある。そして、内側の４組のスリッターナイフ５が所定の幅で、５本のシート列Ｌに切断する。これらシート列Ｌのうちの左側の２列が水平方向へ分岐されており、右側の３列が第１フィードロール６から下方へ分岐されている。水平方向へ分岐された２つのシート列Ｌ1 、Ｌ２ は、これらシート列Ｌ1 、Ｌ２ を挟持する状態に配された一対のロールからなる第２フィードロール７で案内されて、第２ナイフ９に供される。また、下方に分岐されたシート列Ｌ３ 、Ｌ４ 、Ｌ５ は第１ナイフ８に供される。これら第１ナイフ８と第２ナイフ９はプッシュナイフであり、それぞれボトムロータ8a、9aとトップロータ8b、9bとを備えている。トップロータ8b、9bにはターニングナイフ8c、9cが具備されており、これらロール8a、8b、9a、9bが回転して、ターニングナイフ8c、9cがボトムロータ8a、9aに臨んだ位置で、シート列Ｌを流れ方向の位置で断裁して平判状シートが形成される。
【０００６】
流れ方向の位置で断裁されて形成された平判状シートは、図示しないコンベアで搬送されて、二方向に分岐されていた流れが合流する。合流した平判状シートは、センサ51が臨む位置を通過することにより端部が検出される。その後、下流に設けられた図示しないサクションボックスによって、先行の平判状シートの後端部が吸着され、後続の平判状シートの先端部が吸着された前記後端部に重畳されることによって積層され、レイボーイに給送される。
【０００７】
【特許文献１】特開平７−２０６２４７
【発明の開示】
【発明が解決しようとする課題】
【０００８】
しかしながら、従来のダブルカッター装置では、断裁寸法の多様化に対応するために、次のような問題が生じる。カッター装置は、巻取紙を巻き戻しながら紙Ｐを走行させて所定の寸法で裁断するが、このとき紙Ｐの走行速度は必要に応じて変化する。すなわち、カッター装置に通紙した後に停止した状態にある紙（０m/m）を所定速度（例えば180m/m）まで増加させるが、この加速中にも紙Ｐは断裁される。また、所定量の紙Ｐを断裁した状態では断裁された平判状シートがレイボーイで適宜な高さに積層されるから、積層されたものを排出して山替えを行わなければならず、山替え時には減速し（例えば25m/m）、山替え後には増速させて元の走行速度（180m/m）にするが、この加減速時にも紙Ｐは断裁される。一方、前記ターニングナイフ8c、9cは、その回転によって紙Ｐを断裁するため、断裁寸法に応じた速度でトップロータ8b、9bを回転させる必要がある。しかも、紙Ｐを断裁する際には、該ターニングナイフ8c、9cの回転速度を紙Ｐの速度とほぼ等しい大きさとする必要がある。したがって、トップロータ8b、9bは、等速で回転することなく、加減速を繰り返しながら回転する。すなわち、断裁後から加速させ、ターニングナイフ8c、9cが断裁位置に接近するのに応じて減速させ、断裁時には紙Ｐの走行速度をほぼ等しく一定速度で回転させる動作を繰り返す。特に、断裁寸法が小さい短尺物では、加減速度が大きくなる。なお、前記ボトムロータ8a、9aは紙Ｐの走行速度に応じた速度で回転するようにしてある。
【０００９】
上述のように、加減速を繰り返し、紙Ｐの走行速度との関係で該紙Ｐを所定の寸法で断裁できるようにトップロータ8b、9bを駆動するため、その駆動用モータにサーボモータが用いられている。トップロータ8b、9bの加減速度を大きくするためには、駆動用モータに出力の大きいものを使用する必要があるが、最大容量のサーボモータを使用してもこれらロータ8b、9bを所望の動作で駆動させるための仕様を満たすことができない。また、従来のカッター装置１では、例えば第１ナイフ８が2600mm、第２ナイフ９が1850mmとなっている。この第１ナイフ８を備えたトップロータでは面長が大きいため、回転することによって振れが生じる。特に加減速度が大きくなった場合には、加速度の変化に追随できずに大きな振れが生じることになる。振れの発生を防止するためにロータの外径を大きくすると、駆動モータの出力が不足することになる。
【００１０】
また、従来のカッター装置１では、ロータの駆動トルクを確保するために、駆動モータとロータとの間に減速機を介してロータを駆動していた。該減速機の減速機構にはギヤ列が用いられており、それぞれのギヤ間にバックラッシュが存在している。駆動モータの出力回転を変化させてロータの回転の加減速を行わせる場合に、このバックラッシュが影響して、該駆動モータの出力回転の変化にロータの回転が追随できず、紙Ｐの断裁精度を低下させてしまうおそれがある。
【００１１】
さらに、前記ターニングナイフ8c、9cは、ロータの外周面に螺旋状に取り付けられている。これは、紙Ｐの一方の端部から他方の端部にかけて順次断裁することが、紙Ｐを円滑に断裁できるからである。螺旋状に取り付けられたターニングナイフ8c、9cで断裁するため、ロータ8a、8b、9a、9bの軸方向を紙Ｐの走行方向に対して斜方向にして、いわゆる菱振量が設けられ、菱振量を適切にしておくことにより、紙Ｐをその給送方向に直交する方向の直線に沿って断裁することができる。ところで、紙Ｐのシートの流れは、紙癖やテンション伸び等によって幅方向で安定していないから、菱振量の調整はこの幅方向の変動を考慮して調整することが要求される。しかし、ロータの面長が大きいため、この調整作業は煩雑であり、また幅方向の変動によっては菱振量で補正できないおそれが生じる。
【００１２】
そこで、この発明は、ロータ面長を小さくすることにより、断裁寸法が小さい短尺物であっても確実に追随して加減速させて高精度で断裁することができると共に、大きな容量の駆動モータを必要としない紙のカッター装置を提供することを主たる目的とし、ロータ面長を小さくすることによって該ロータを駆動モータに直結して駆動させることができて、減速機を用いた構造と比べて断裁精度を向上させることができる紙のカッター装置を提供することを目的としている。
【課題を解決するための手段】
【００１３】
前記目的を達成するための技術的手段として、この発明に係る紙のカッター装置は、複数本の巻取紙を巻き戻しながら複数枚重ね合わせて給送し、スリッターナイフにより幅方向の所望位置で切断して複数の小幅のシート列に形成し、該シート列の流れ方向の所望位置で断裁して平判状シートに形成するカッター装置において、前記スリッターナイフによって切断された紙の前記シート列を、前記流れ方向の所望位置で断裁するカッターに給送するためのフィードロールを通過した後に、二方向の流れに分岐させ、一方の方向の流れの途中に、１台のカッターを配設し、他方の方向の流れの途中に、２台のカッターを配設したことを特徴としている。
【００１４】
ターニングナイフを備えたカッターが３箇所に設けられた、いわゆるトリプルカッターとしたものであり、三種類の寸法で紙を断裁できる。
【００１５】
また、請求項２の発明に係る紙のカッター装置は、前記２台のカッターのロータの軸方向を一致させてあることを特徴としている。
【００１６】
すなわち、前記１台のカッターと２台のカッターとは、紙の流れ方向で異なる位置に配置され、２台のカッターは流れ方向で等しい位置に配置されている。
【００１７】
また、請求項３の発明に係る紙のカッター装置は、前記１台のカッターと２台のカッターのそれぞれのロータは、駆動モータに直結させて駆動させることを特徴としている。
【００１８】
カッターを３台としたため、従来のダブルカッターに比べてロータの面長を短くすることでき、ロータの慣性モーメントが小さくなるから、減速機を介して駆動トルクを増加させることなく、駆動モータを直結して駆動することができる。
【００１９】
また、請求項４の発明に係る紙のカッター装置は、前記複数のシート列のうち、外側に位置したそれぞれのシート列を前記２台のカッターのそれぞれに対応させ、内側に位置したシート列を前記１台のカッターに対応させたことを特徴としている。
【００２０】
前記２台のカッターを紙の流れ方向でほぼ等しい位置に配置する場合には、これらカッターを紙の幅方向の異なる位置に配置しなければならない。このため、２台のカッターは切断された複数のシート列の外側にあるシート列を断裁するものとする。
【００２１】
なお、３台のカッターはいずれも紙の流れ方向で異なる位置に配置させることもでき、そのように配置させた場合には、カッターの一部を紙の幅方向で重畳させた状態に配置できる。このため、前記スリッターナイフで切断されたシート列に対して、種々の幅員のものに対応しやすくなる。
【発明の効果】
【００２２】
この発明に係る紙のカッター装置によれば、３台のカッターを備えているので、３種類の寸法で紙を断裁することができる。勿論、３台のカッターのうち２台を同期させて作動させれば、２種類の断裁寸法となり、３台を同期させれば１種類の断裁寸法となる。また、それぞれのカッターのロータ面長を小さくすることができるので、ターニングナイフの前記菱量をそれぞれのロータについて容易に微調整することができると共に、それぞれのロータについて各別に調整できるので、幅方向の変動に対応させた微調整をより容易に行うことができる。
【００２３】
また、請求項２の発明に係る紙のカッター装置によれば、１台のカッターは両軸駆動により、２台のカッターは片軸駆動とすることができる。
【００２４】
また、請求項３の発明に係る紙のカッター装置によれば、駆動モータの出力の変化にロータを追随させて確実に加減速を行える。したがって、断裁寸法の小さい短尺物にも確実に対応して断裁することができる。
【００２５】
また、請求項４の発明に係る紙のカッター装置によれば、２台のカッターをそのロータの回転軸の方向を一致させて配置することができる。
【発明を実施するための最良の形態】
【００２６】
以下、図示した好ましい実施の形態に基づいて、この発明に係る紙のカッター装置を具体的に説明する。
【００２７】
図３はこの発明に係るカッター装置の一部を示す側面図であり、抄紙機で製造された巻取紙21は、適宜本数がアンリールスタンド部20に支持される。アンリールスタンド部20に支持された巻取紙21は各別に巻き戻されて長尺シート状の紙Ｐとなり、複数の紙Ｐがアンリールスタンド20の出口部分で合流され、重畳されて後続するカッター部30に供給される。
【００２８】
カッター部30の入口にはリードインロール31が設けられ、その下流にテールスリッター32、エキスパンダロール33a を備えたペーパーロール33、６組のスリッターナイフ34a 、34b 、34c 、34d 、34e 、34f が配されている。これらスリッターナイフ34のうちの両端部に位置したスリッターナイフ34a 、34f は、必要に応じて、前記テールスリッター32と同様に、紙Ｐの幅方向の両端部を切断して、紙Ｐの幅を揃える。そして、スリッターナイフ34b 、34c 、34d 、34e で給送されたシートを幅方向の所定の位置で切断するもので、これらのスリッターナイフ34によって５本のシート列Ｌ1 、Ｌ2 、Ｌ3 、Ｌ4 、Ｌ５ に切断され、いわゆる５丁取りされることになる。上記スリッターナイフ34の下流には、第１フィードロール35が設けられている。
【００２９】
前記第１フィードロール35の下流側の適宜距離を隔てた位置には、該第１フィードロール35とほぼ等しい高さで第２フィードロール36が設けられている。この第２フィードロール36の下流側で、斜め下方に第１ナイフ41と第３ナイフ43とが、ほぼ等しい高さ位置に設けられている。また、前記第１フィードロール35の斜め下方には第２ナイフ42が設けられている。
【００３０】
前記第１ナイフ41と第３ナイフ43とは、それぞれが紙Ｐの幅方向の両端部を臨む位置に配設されており、前記第２ナイフ42は、紙Ｐの幅方向の中央部を臨む位置に配設されている。
【００３１】
図２及び図３に示すように、前記第１ナイフ41と第３ナイフ43との下流側には、下流側コンベア37がこれら第１、３ナイフ41、43のそれぞれに対応して配設されており、第１、３ナイフ41、43を通って平判状シートに断裁された紙Ｐを合流コンベア39まで搬送する。また、第２ナイフ42の下流側には、上流側コンベア38が該第２ナイフ42に対応して配設されており、該第２ナイフ42を通って平判状シートに断裁された紙Ｐを前記合流コンベア39まで搬送するようにしてある。
【００３２】
合流コンベア39の途中を臨む位置にはセンサ51が設けられており、該センサ51が臨む位置を通過することにより平判状シートの紙Ｐの端部が検出され、合流コンベア39で搬送され、図３に示すように後続するレイボーイ40まで搬送されて積層される。
【００３３】
前記第１〜第３ナイフ41、42、43にはいずれもプッシュカッターが用いられている。すなわち、これらナイフ41、42、43のそれぞれは、ボトムロータ41a 、42a 、43a とトップロータ41b 、42b 、43b とを備えており、トップロータ41b 、42b 、43b にはターニングナイフ41c 、42c 、43c が取り付けられている。これらボトムロータ41a 、42a 、43a とトップロータ41b 、42b 、43b とは、紙Ｐの給送方向に対応した方向に回転するようにしてあり、その回転中に前記ターニングナイフ41c 、42c 、43c がボトムロータ41a 、42a 、43a を臨んで位置した時に、通過している紙Ｐが断裁される。
【００３４】
前記第１〜第３ナイフ41、42、43のいずれのロータ41a 、41b 、42a 、42b 、43a 、43b も、図示しない駆動モータの出力軸に直結されて駆動されるようにしてある。また、第２ナイフ42のロータ42a 、42b は両軸駆動とされ、第１、第３ナイフ41、43のロータ41a 、41b 、43a 、43b は片軸駆動とされている。
【００３５】
以上により構成されたこの発明に係る紙のカッター装置の作用を、以下に説明する。
【００３６】
アンリールスタンド部20に支持された複数の巻取紙21のそれぞれが巻き戻されながら、紙Ｐが引き出され、リードインロール31で案内されてこれらの紙Ｐが重畳される。重畳された紙Ｐは、テールスリッター32を通過することにより幅方向の両端部が切断されて、これら重畳された紙Ｐの幅員の大きさが所定の大きさに整えられる。紙Ｐはペーパーロール33を通過して、スリッターナイフ34a 、34b 、34c 、34d 、34e 、34f を通過することにより、所定の幅員に断裁されて、５本のシート列Ｌ1 、Ｌ2 、Ｌ3 、Ｌ4 、Ｌ５ に分離される。なお、両端部のスリッターナイフ34a 、34f は前記テールスリッター32で所望の幅まで切断することができない場合に、これらスリッターナイフ34a 、34f でさらに端部を切断して所望の幅の紙Ｐを得る。これらのシート列Ｌ1 、Ｌ2 、Ｌ3 、Ｌ4 、Ｌ５ のうちの外側に位置するシート列Ｌ1 、Ｌ５ は前記第２フィードロール36に給送され、その後斜め下方に給送される。また、内側に位置するシート列Ｌ2 、Ｌ3 、Ｌ４ は、第１フィードロール35から斜め下方に給送される。なお、これらスリッターナイフ34は、紙Ｐの幅方向に移動可能とされている。
【００３７】
第１フィードロール35から斜め下方に給送されたシート列Ｌ2 、Ｌ3 、Ｌ４ は第２ナイフ42に供される。該第２ナイフ42のトップロータ42b が回転しながら、そのターニングナイフ42c がシート列Ｌ2 、Ｌ3 、Ｌ４ を臨む位置に位置すると、シート列Ｌ2 、Ｌ3 、Ｌ４ は流れ方向の所定位置で断裁される。このとき、第２ナイフ42のターニングナイフ42c が紙Ｐの走行速度に対応した所定の周期でシート列Ｌ2 、Ｌ3 、Ｌ４ に臨んで位置することによって、シート列Ｌ2 、Ｌ3 、Ｌ４ は流れ方向において一定間隔で断裁される。また、トップロータ42b は、断裁寸法に応じて加減速を繰り返しながら回転する。すなわち、ターニングナイフ42c がシート列Ｌ2 、Ｌ3 、Ｌ４ を臨んだ状態では、シート列Ｌ2 、Ｌ3 、Ｌ４ の走行速度とターニングナイフ42c の速度とがほぼ等しくなって断裁が確実に行われ、その後加速され、次いで減速されてターニングナイフ42c がシート列Ｌ2 、Ｌ3 、Ｌ４ の走行速度とほぼ等しくなって断裁が行われる。この加減速度の変化を調整することにより、断裁寸法を変更することができる。そして、断裁されたことにより、縦横寸法が所定の大きさとなった平判状シートの紙Ｐとなる。
【００３８】
また、第２フィードロール36から斜め下方に給送されたシート列Ｌ1 、Ｌ５ のそれぞれは、第１ナイフ41と第３ナイフ43とに供される。これら第１、第３ナイフ41、43のそれぞれのトップロータ41b 、43b が回転しながら、そのターニングナイフ41c 、43c がシート列Ｌ1 、Ｌ５ を臨む位置に位置すると、シート列Ｌ1 、Ｌ５ は流れ方向の所定位置で裁断される。これら第１、第３ナイフ41、43も、第２ナイフ42と同様に加減速を繰り返しながら一定周期でターニングナイフ41c 、43c がシート列Ｌ1 、Ｌ５ を臨んで位置して、シート列Ｌ1 、Ｌ５ を断裁する。したがって、シート列Ｌ1 、Ｌ５ は、流れ方向においてそれぞれ一定間隔で断裁される。このため、縦横寸法が所定の大きさとなった平判状シートの紙Ｐとなる。
【００３９】
前記第２ナイフ42で断裁されて形成された平判状シート紙Ｐは、前記上流側コンベア38に順次載置されて搬送される。また、第１、第３ナイフ41、43で断裁されて形成された平判状シート紙Ｐは、前記下流側コンベア37に順次載置されて搬送される。なお、上流側コンベア38、下流側コンベア37はそれぞれのシート列Ｌ1 、Ｌ2 、Ｌ3 、Ｌ4 、Ｌ５ に対応して配されており、断裁された平判状シート紙Ｐはシート列Ｌ1 、Ｌ2 、Ｌ3 、Ｌ4 、Ｌ５ ごとに各別にコンベア37、38で搬送される。これら下流側コンベア37と上流側コンベア38によって搬送された平判状シート紙Ｐは、後続する前記合流コンベア39に搬送される。
【００４０】
合流コンベア39に搬送された平判状シート紙Ｐは、搬送途中で前記センサ51が臨む位置を通過する際に端部が検出される。このセンサ51の下流にある図示しないサクションボックスによって、先行の平判状シートの後端部が吸着され、後続の平判状シートの先端部が吸着された前記後端部に重畳されることによって積層され、レイボーイ40に給送される。
【００４１】
以上に説明した実施形態では、いわゆる５丁取りで、スリッターナイフ34で５本のシート列Ｌ1 、Ｌ2 、Ｌ3 、Ｌ4 、Ｌ５ に切断し、そのうちの中央部の３つのシート列Ｌ2 、Ｌ3 、Ｌ４ を第２ナイフ42で、外側の２つのシート列Ｌ1 、Ｌ５ を第１、第３ナイフ41、43で、それぞれ断裁するものとして説明したが、第１〜第３ナイフ41、42、43に供するシート列Ｌは、これらの組み合わせ以外であっても構わない。例えば、シート列Ｌ1 、Ｌ2 を第２フィードロール36から第１ナイフ41に給送させ、シート列Ｌ3 、Ｌ４ を第１フィードロール35から第２ナイフ42に給送させ、シート列Ｌ５ を第２フィードロール36から第３ナイフ43に給送させるようにすることもできる。斯かる構造としても、第１〜第３ナイフ41、42、43のボトムロータ41a 、42a 、43a とトップロータ41b 、42b 、43b の面長は小さくなるので、これらロータ41a 、41b 、42a 、42b 、43a 、43b の慣性モーメントを大きくすることがない。また、スリッターナイフ34の設置数によっては、５丁取り以外とすることもできる。
【００４２】
また、本実施形態では、第１、第３ナイフ41、43を、これらのロータ41a 、42a 、41b 、42b の軸方向を一致させて配置させた構造について説明したが、これら第１、第３ナイフ41、43を流れ方向の異なる位置に配置させることもできる。本実施形態のように軸方向を一致させて配置させた場合には、これら第１、第３ナイフ41、43はこれらの一部を紙Ｐの幅方向で重畳させることはできない。これに対して、流れ方向の異なる位置に配置させた場合には、これら第１、第３ナイフ41、43の一部を紙Ｐの幅方向で重畳する位置に配置させることができる。このため、これら第１、第３ナイフ41、43を通過させるシート列の組み合わせの自由度が増加し、スリッターナイフ34で切断するシート列の幅の寸法の自由度も増加する。
【００４３】
さらに、本実施形態では、カッター部にはトップロータ41b 、42b 、43b が備えたターニングナイフ41c 、42c 、43c をプッシュナイフとしたプッシュカッターとして説明したが、シンクロカッターやセミシンクロカッターなど他の形式のカッターであっても構わない。
【００４４】
加えて、本実施形態では３種類の寸法で平判状シートに断裁する場合として説明したが、２種類あるいは１種類の寸法で断裁することができることは勿論である。２種類とした場合にはシート列の隣接するものを等しい寸法とすることにより、従来のダブルカッターと同様に、例えば、搬送途中における平判状シートの端部揃え処理等を同様に行わせることができる。
【産業上の利用可能性】
【００４５】
この発明は、抄紙機によって製造された巻取紙を平判状シートに加工する場合に用いられる。３台のカッターを配置させたので、紙の流れ方向で３種類の寸法で断裁することができると共に、ロータの回転速度を調整することにより、２種類の寸法で断裁させることもできる。すなわち、断裁寸法の変更に容易に対応することができる紙のカッター装置を提供できる。
【図面の簡単な説明】
【００４６】
【図１】この発明に係るカッター装置の要部であるカッター部の概略構造を説明する斜視図である。
【図２】この発明に係るカッター装置の要部であるカッター部の概略構造を示す側面図である。
【図３】この発明に係るカッター装置の概略の構造を示す側面図で、一部を省略して示している。
【図４】従来の紙のカッター装置のカッター部の概略構造を説明する図で、図１に相当する斜視図である。
【符号の説明】
【００４７】
Ｐ    紙
20    アンリールスタンド部
21    巻取紙
30    カッター部
34a、34b、34c    スリッターナイフ
35    第１フィードロール
36    第２フィードロール
37    下流側コンベア
38    上流側コンベア
39    合流コンベア
41    第１ナイフ
41a    ボトムロータ
41b    トップロータ
41c    ターニングナイフ
42    第２ナイフ
42a    ボトムロータ
42b    トップロータ
42c    ターニングナイフ
43    第３ナイフ
43a    ボトムロータ
43b    トップロータ
43c    ターニングナイフ
【図１】
2005246514.tif 000003
【図２】
2005246514.tif 000004
【図３】
2005246514.tif 000005
【図４】
2005246514.tif 000006
【手続補正書】
【提出日】平成16年3月2日(2004.3.2)
【手続補正１】
【補正対象書類名】明細書
【補正対象項目名】００４２
【補正方法】変更
【補正の内容】
【００４２】
また、本実施形態では、第１、第３ナイフ41、43を、これらのロータ41a 、43a 、41b 、43b の軸方向を一致させて配置させた構造について説明したが、これら第１、第３ナイフ41、43を流れ方向の異なる位置に配置させることもできる。本実施形態のように軸方向を一致させて配置させた場合には、これら第１、第３ナイフ41、43はこれらの一部を紙Ｐの幅方向で重畳させることはできない。これに対して、流れ方向の異なる位置に配置させた場合には、これら第１、第３ナイフ41、43の一部を紙Ｐの幅方向で重畳する位置に配置させることができる。このため、これら第１、第３ナイフ41、43を通過させるシート列の組み合わせの自由度が増加し、スリッターナイフ34で切断するシート列の幅の寸法の自由度も増加する。